(57)【要約】【課題】ユーザの手を煩わせずに、両面にタブ画像が画像形成されたタブ紙を生成する技術を提供すること。【解決手段】本文画像データとタブ画像データを含む原稿画像データを取得する画像読取部２０と、第１の面及び当該第１の面の裏面である第２の面を有する用紙に原稿画像データに基づいて画像を形成する画像形成部４３と、第１の面に原稿画像データに基づく画像を形成した用紙を反転して再度前記画像形成部に搬送する反転搬送路４２ｃと、原稿画像データを本文画像データとタブ画像データとに分け、第１の面に原稿画像データに基づいて本文画像及びタブ画像を形成した後、反転搬送路４２ｃにより反転搬送した当該用紙の第２の面における第１の面に形成されたタブ画像の位置の面対象位置に、タブ画像データに基づくタブ画像を形成する制御を行う制御部１１０と、を備える画像形成装置１。【選択図】図１
2009278395.tif 000002
【特許請求の範囲】
【請求項１】
本文画像データとタブ画像データを含む原稿画像データを取得する画像取得部と、
第１の面及び当該第１の面の裏面である第２の面を有する用紙に前記原稿画像データに基づいて画像を形成する画像形成部と、
前記画像形成部により前記第１の面に前記原稿画像データに基づく画像を形成した用紙を反転して前記画像形成部に再度搬送する反転搬送部と、
前記原稿画像データを前記本文画像データと前記タブ画像データとに分け、前記画像形成部により前記第１の面に原稿画像データに基づいて本文画像及びタブ画像を形成した後、前記反転搬送部により反転搬送された当該用紙の第２の面における前記第１の面に形成されたタブ画像の位置の面対象位置に、前記タブ画像データに基づくタブ画像を形成する制御を行う制御部と、
を備える画像形成装置。
【請求項２】
前記制御部は、
前記第２の面に前記タブ画像データに基づく画像を形成する際、
当該タブ画像データの画像形成開始位置を前記第１の面に画像形成した前記本文画像データの画像形成開始位置とする、
請求項１に記載の画像形成装置。
【請求項３】
前記制御部は、
前記第２の面に前記タブ画像データに基づく画像のみを形成する、
請求項１又は２に記載の画像形成装置。
【請求項４】
前記制御部は、
タブ画像データに基づく画像が形成されるタブ部の大きさに応じて、前記原稿画像データを前記本文画像データと前記タブ画像データとに分ける、
請求項１から３のいずれか一項に記載の画像形成装置。
【請求項５】
前記画像形成部により第２の面にタブ画像データに基づく画像が形成された用紙を切断してタブ部を形成する切断部を備える、
請求項１から４のいずれか一項に記載の画像形成装置。
【発明の詳細な説明】
【技術分野】
【０００１】
本発明は、画像形成装置に関する。
【背景技術】
【０００２】
従来、タブ紙に画像形成を行うことが可能な画像形成装置がある。当該画像形成装置では、タブ部に項目やタイトル等のタブ画像を形成することが可能である。しかし、タブ紙が厚紙であることや、タブ部の存在に起因して紙曲りが発生しやすいという問題があり、タブ紙の両面に画像形成を行うことは回避されていた。
【０００３】
しかし、近年では、タブ紙の両面に画像形成を行う画像形成装置が開発されている。そのような画像形成装置として、タブ紙の両面に画像形成するモードが設定された場合、タブ部が搬送方向に対し垂直方向になるようにタブ紙が格納された給紙トレイを選択する画像形成装置が開示されている（特許文献１参照）。
【０００４】
また、タブ紙への画像形成を行う処理と判定され、タブ紙の第１の面（例えば、オモテ面）に画像形成がなされた場合にユーザに対するメッセージを通知する通知手段と、第１の面に画像形成がなされたタブ紙の再収容を検知する検知手段と、タブ紙の第２の面（例えば、ウラ面）の画像形成の指示を受付ける指示受付手段と、を備え、タブ紙の再収容の検知と第２の面の画像形成指示とに応じて、タブ紙の第２の面の画像形成が実行される印刷装置が開示されている（特許文献２参照）。
【特許文献１】特開２００３−１４３３６７号公報
【特許文献２】特開２００４−１６８０３４号公報
【発明の開示】
【発明が解決しようとする課題】
【０００５】
しかしながら、特許文献１の技術では、タブ紙の両面に画像を形成する際の紙曲り問題は解決されるが、予め定められた定形サイズの用紙に後処理を施してタブ紙と同様の用紙を生成する場合や、タブ画像が形成される位置がオモテ面とウラ面とで変わる場合の対応を行なうことができない。
【０００６】
また、特許文献２の技術では、両面に画像形成された定形サイズの用紙をタブ紙として生成するには、ウラ面の画像形成の具体的な開示がなく、また、ユーザによる操作の介在が依然として必要であり煩雑である。
【０００７】
本発明の課題は、ユーザの手を煩わせずに、両面にタブ画像が画像形成されたタブ紙を生成する技術を提供することである。
【課題を解決するための手段】
【０００８】
請求項１に記載の発明は、本文画像データとタブ画像データを含む原稿画像データを取得する画像取得部と、第１の面及び当該第１の面の裏面である第２の面を有する用紙に前記原稿画像データに基づいて画像を形成する画像形成部と、前記画像形成部により前記第１の面に前記原稿画像データに基づく画像を形成した用紙を反転して前記画像形成部に再度搬送する反転搬送部と、前記原稿画像データを前記本文画像データと前記タブ画像データとに分け、前記画像形成部により前記第１の面に原稿画像データに基づいて本文画像及びタブ画像を形成した後、前記反転搬送部により反転搬送された当該用紙の第２の面における前記第１の面に形成されたタブ画像の位置の面対象位置に、前記タブ画像データに基づくタブ画像を形成する制御を行う制御部と、を備える画像形成装置である。
【０００９】
請求項２に記載の発明は、請求項１に記載の画像形成装置において、前記制御部は、前記第２の面に前記タブ画像データに基づく画像を形成する際、当該タブ画像データの画像形成開始位置を前記第１の面に画像形成した前記本文画像データの画像形成開始位置とする。
【００１０】
請求項３に記載の発明は、請求項１又は２に記載の画像形成装置において、前記制御部は、前記第２の面に前記タブ画像データに基づく画像のみを形成する。
【００１１】
請求項４に記載の発明は、請求項１から３のいずれか一項に記載の画像形成装置において、前記制御部は、タブ画像データに基づく画像が形成されるタブ部の大きさに応じて、前記原稿画像データを前記本文画像データと前記タブ画像データとに分ける。
【００１２】
請求項５に記載の発明は、請求項１から４のいずれか一項に記載の画像形成装置において、前記画像形成部により第２の面にタブ画像データに基づく画像が形成された用紙を切断してタブ部を形成する切断部を備える。
【発明の効果】
【００１３】
請求項１に記載の発明によれば、ユーザの手を煩わせずに、第１の面と第２の面の両面にタブ画像が画像形成されたタブ紙を生成することができる。
【００１４】
請求項２に記載の発明によれば、請求項１と同様の効果を得られるのは勿論のこと、第１の面上に形成されるタブ画像と第２の面上に形成されるタブ画像とを面対象の位置に形成することができる。
【００１５】
請求項３に記載の発明によれば、請求項１又は２と同様の効果を得られるのは勿論のこと、第２の面にタブ画像のみを形成することができる。
【００１６】
請求項４に記載の発明によれば、請求項１から３のいずれか一項と同様の効果を得られるのは勿論のこと、タブ画像データに基づく画像が形成されるタブ部の大きさに応じて、原稿画像データを本文画像データとタブ画像データとに分けることができる。
【００１７】
請求項５に記載の発明によれば、請求項１から４のいずれか一項と同様の効果を得られるのは勿論のこと、第２の面にタブ画像データに基づく画像が形成された用紙を切断してタブ部を形成する切断部を備えることにより、原稿と同一形状のタブ紙を作成することができる。
【発明を実施するための最良の形態】
【００１８】
以下、図を参照して本発明の実施の形態を詳細に説明する。
まず、構成を説明する。
図１に、本実施の形態における画像形成装置１の概略断面構成図を示す。
【００１９】
図１に示す画像形成装置１は、本体部１ａと後処理部５０を含むデジタル複合機の例である。本体部１ａは、画像読取部２０、操作表示部３０、プリント部４０等を備えて構成され、原稿から画像を読み取り、読み取った画像を用紙Ｐに画像形成したり、外部装置等から受信した画像データに基づいて画像を用紙Ｐ上に形成する。後処理部５０は、画像が形成された用紙に後処理を施す。
【００２０】
画像読取部２０は、ＡＤＦ（Auto Document Feeder）と称される自動原稿送り部２１と読取部２２とを備え、操作表示部３０から入力された設定情報に基づいて複数の原稿の画像を読み取る機能を実現する。自動原稿送り部２１の原稿トレイＴ１に載置された原稿ｄは、読取位置であるコンタクトガラス上に搬送され、光学系により原稿ｄの片面又は両面の画像が走査され、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００２１】
画像読取部２０により読み取られた画像データ（アナログ画像信号）は、後述する画像制御基板の読取処理部１４０に出力され、読取処理部１４０においてＡ／Ｄ変換され各種画像処理が施された後、プリント部４０に出力される。
【００２２】
操作表示部３０は、ＬＣＤ（Liquid Crystal Display）３１、ＬＣＤ３１を覆うように設けられたタッチパネル３２、その他図示しない操作キー等から構成される。操作表示部３０は、ユーザからの指示を受け付けその操作信号を制御部１１０に出力し、また、制御部１１０から入力される表示信号に従って、各種操作指示や設定情報を入力するための各種設定画面や各種処理結果等を表示する。
【００２３】
図２〜４に、ＬＣＤ３１上に表示させる各種設定画面の例を示す。図２〜４に示す各種設定画面は、画像形成装置１にプリント処理を実行させる際にプリント処理における各種設定条件を入力して設定するための画面である。
【００２４】
図２に、コピー設定画面Ｇ１の例を示す。
図２に示すように、コピー設定画面Ｇ１は、原稿設定領域Ｅ１、画質設定領域Ｅ２、倍率設定領域Ｅ３、応用設定領域Ｅ４、出力設定領域Ｅ５、片面／両面設定領域Ｅ６、用紙設定領域Ｅ７を有しており、画像形成される画像の各種設定や画像が形成される用紙の各種設定等を行なう画面である。
【００２５】
原稿設定領域Ｅ１には、原稿設定画面Ｇ２を表示させる原稿設定ボタンＢ１が設けられている。画質設定領域Ｅ２には、用紙上に形成される画像の濃度の指示を入力するボタンが設けられている。倍率設定領域Ｅ３には、用紙上に形成される画像の倍率の指示を入力するボタンが設けられている。出力設定領域Ｅ５には、画像形成された用紙対する後処理の指示を入力するボタンが設けられている。片面／両面設定領域Ｅ６には、読み取った原稿の画像データを画像形成する用紙面の指示（例えば、片面から両面）を入力するボタンが設けられている。用紙設定領域Ｅ７には、各給紙トレイに格納されている用紙の種類を表示し、給紙する用紙トレイの指示を入力するボタンが設けられている。
【００２６】
図３に、原稿設定画面Ｇ２の例を示す。
図３に示すように、原稿設定画面Ｇ２は、原稿設置方向設定領域Ｅ１１、とじ方向設定領域Ｅ１２、特殊原稿設定領域Ｅ１３、原稿サイズ設定領域Ｅ１４を有しており、画像読取部２０により画像が読み取られる原稿の各種設定を行なう画面である。
【００２７】
原稿設置方向設定領域Ｅ１１には、原稿トレイＴ１に載置する原稿の設置方向の指示を入力するボタンが設けられている。とじ方向設定領域Ｅ１２には、原稿のとじ方向の指示を入力するボタンが設けられている。特殊原稿設定領域Ｅ１３には、原稿の種類（例えば、全ての原稿のサイズが同一の普通原稿、異なるサイズが含まれる混載原稿、Ｚ折りされている原稿等）の指示を入力するボタンが設けられている。原稿サイズ設定領域Ｅ１４には、原稿のサイズの種類の指示を入力するボタン（定形サイズボタンＢ１１、不定形サイズボタンＢ１２、タブ紙サイズボタンＢ１３）が設けられている。タブ紙サイズボタンＢ１３が押下されると、タブ紙サイズ設定画面Ｇ３が表示される。
【００２８】
図４に、タブ紙サイズ設定画面Ｇ３の例を示す。
図４に示すように、タブ紙サイズ設定画面Ｇ３には、タブ紙のサイズの指示を入力する複数のボタンＢ１４ａ〜Ｂ１４ｈが設けられている。例えば、タブ紙のサイズとしては、Ａ３サイズの横長のタブ紙、Ｂ４サイズの横長のタブ紙、Ａ４サイズの横長のタブ紙、Ａ４サイズの縦長のタブ紙、Ｂ５サイズの縦長のタブ紙、８．５インチ×１４インチ四方の横長のタブ紙、８．５インチ×１１インチ四方の横長のタブ紙、８．５インチ×１１インチ四方の縦長のタブ紙である。
【００２９】
プリント部４０は、入力されたプリントデータに基づいて、電子写真方式の画像形成処理を行うものであり、給紙部４１、用紙搬送部４２、画像形成部４３、搬出部４４を備えて構成される。
【００３０】
給紙部４１は、複数の給紙トレイ４１ａ、給紙手段４１ｂ、手差しトレイＴ２等を備える。給紙トレイ４１ａには、用紙Ｐが収容されており、給紙手段４１ｂによって用紙Ｐを最上部から一枚ずつ用紙搬送部４２に向けて搬送する。手差しトレイＴ２は、ユーザのニーズに合わせて様々な種類の用紙Ｐを積載可能となっており、給紙ローラによって積載された用紙Ｐを最上部から一枚ずつ用紙搬送部４２に向けて搬送する。
【００３１】
用紙搬送部４２は、給紙トレイ４１ａ又は手差しトレイＴ２から搬送された用紙Ｐを、複数の中間ローラ、レジストローラ４２ａ等を経て転写装置４３ａへと搬送する。
また、用紙搬送部４２は、読み取った原稿の画像データを画像形成する用紙面の指示が片面から両面である両面モードである場合、搬送路切換板４２ｂにより片面画像形成処理済みの用紙Ｐを両面搬送路４２ｃに搬送し、片面画像形成済みの用紙を反転して、再度、中間ローラ、レジストローラ４２ａを経て転写装置４３ａへと搬送する反転搬送部として機能する。
【００３２】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備え、後述するＲＡＭ１３０に記憶されているジョブ情報に基づいて用紙に画像を形成する機能を実現する。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
また、画像形成部４３は、第１の面（例えば、オモテ面）及び当該第１の面の裏面である第２の面（例えば、ウラ面）を有する用紙に画像読取部２０によって読み取られた原稿画像データに基づいて画像を形成する機能を実現する。
【００３３】
定着装置４３ｂは、用紙搬送部４２によって搬送された用紙Ｐに転写されたトナー像を熱定着する。定着処理された用紙Ｐは、搬送路切換板４２ｂにより両面搬送路４２ｃに搬送、又は、搬出部４４の排紙ローラに挟持されて搬出口から後処理部５０へ搬送される。
【００３４】
後処理部５０は、画像が形成された用紙のソート処理を行うソートユニット、パンチ処理を行うパンチユニット、設定された綴じ方向及び綴じ位置に応じて用紙の束を綴じるステイプル処理を行うステイプルユニット、折り処理を行う折りユニット、用紙の一部を切断してタブ部を形成する切断ユニット等の各種後処理ユニットと、各種処理が施された又は施されなかった用紙が排紙されて積載される複数の排紙トレイＴ３を備える。
【００３５】
図５に、画像形成装置１の制御ブロック図を示す。
図５に示すように、画像形成装置１は、本体部１ａとプリンタコントローラ１ｂと、本体部１ａに接続された後処理部５０から構成されている。画像形成装置１は、プリンタコントローラ１ｂのＬＡＮＩＦ（Local Area Network InterFace）１４を介してネットワーク３上の外部装置２と相互に情報の送受信が可能に接続されている。
【００３６】
本体部１ａは、画像読取部２０、操作表示部３０、プリント部４０、画像制御基板１００を備えて構成される。なお、図１で説明した各部と同一の構成部分には、同一の符号を付してその説明を省略する。
【００３７】
画像制御基板１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０から構成される。
【００３８】
制御部１１０は、ＣＰＵ（Central Processing Unit）等から構成され、不揮発メモリ１２０に格納されているシステムプログラム及び各種アプリケーションプログラム、各種データの中から指定されたプログラムやデータを読み出してＲＡＭ１３０に展開し、ＲＡＭ１３０に展開されたプログラムとの協働で、各種処理を実行し、画像形成装置１の各部を集中制御する。例えば、操作表示部３０や外部装置２から入力される指示信号に従って、コピーモード、プリンタモード、スキャナモードを切り替え、複写、プリント、画像データの読取等の制御を行う。
【００３９】
また、制御部１１０は、プリント部４０のプリント制御部４００に対して、画像書込信号ＰＶＶを送信する。画像書込信号ＰＶＶがＯＮ状態である場合を感光体ドラム上に形成されたトナー像が転写装置４３ａにおいて用紙Ｐに転写される状態とし、ＯＦＦ状態である場合を感光体ドラム上形成されたトナー像が転写装置４３ａにおいて用紙Ｐに転写されない状態とする。
【００４０】
また、制御部１１０は、不揮発メモリ１２０から本実施の形態に係る両面タブ紙作成処理プログラムとＲＡＭ１３０からジョブデータとを読み出して、当該プログラム及び各種データとの協働により、本文画像データとタブ画像データを含む原稿画像データを本文画像データとタブ画像データとに分け、画像形成部４３により第１の面（オモテ面）に原稿画像データに基づいて本文画像及びタブ画像を形成した後、用紙搬送部４２により搬送され搬送路切換板４２ｂ及び両面搬送路４２ｃにより反転搬送された当該用紙の第２の面（ウラ面）における第１の面（オモテ面）に形成されたタブ画像の位置の面対象位置に、タブ画像データに基づくタブ画像を形成する制御を行い、画像形成部４３により第２の面にタブ画像データに基づく画像が形成された用紙を切断部により切断してタブ部を形成し、タブ紙を作成する制御を実行する。
【００４１】
図６（ａ）に原稿ｄの例、図６（ｂ）に原稿ｄから取得された原稿画像データＤｄの例を示す。
制御部１１０は、原稿画像データＤｄを本文画像データＤｄａとタブ画像データＤｄｂとに分ける際、タブ画像データＤｄｂに基づく画像が形成されるタブ部の大きさ（高さｈ）に応じて分ける。タブ部の高さｈは、コピー設定画面Ｇ１の原稿設定領域Ｅ１により設定された原稿サイズと、用紙設定領域Ｅ７により設定された用紙サイズとの関係により算出することができる。
【００４２】
例えば、原稿サイズが８．５インチ×１１インチの縦長のタブ紙、用紙サイズが９インチ×１１インチの縦長の普通紙である場合、これらの用紙の幅の差（０．５インチ）をタブ部の高さｈとして算出する。当該タブ部の高さｈに基づいて原稿画像データを副走査方向に分割し、本文画像データとタブ画像データとに分ける。
【００４３】
そして制御部１１０は、第２の面にタブ画像データＤｄｂに基づく画像を画像形成部４３により形成する際、当該タブ画像データＤｄｂの画像形成開始位置を第１の面に画像形成した本文画像データＤｄａの画像形成開始位置とする。
【００４４】
例えば、制御部１１０は、第１の面に原稿画像データＤｄに基づく本文画像及びタブ画像を形成する際には、ページメモリに格納された当該原稿画像データＤｄの先頭アドレスＡ１を書込開始位置に設定する。制御部１１０は、第２の面にタブ画像データＤｄｂに基づく画像を形成する際には、当該原稿画像データＤｄを副走査方向においてタブ部の高さｈ応じて分けたタブ画像データＤｄｂの開始位置Ａ２を書込開始位置に設定する。このような書込開始位置の設定により、タブ画像データＤｄｂの画像形成開始位置を第１の面に画像形成した本文画像データＤｄａの画像形成開始位置とすることが可能となり、第２の面における第１の面に形成されたタブ画像の位置の面対象位置に、タブ画像データに基づくタブ画像を形成することとなる。
【００４５】
不揮発メモリ１２０は、画像形成に係る各種処理プログラム及びデータの他、本実施の形態に係る両面タブ紙作成処理プログラム、各種プログラムで処理されたデータ等を記憶する。
【００４６】
ＲＡＭ１３０は、制御部１１０により実行される各種プログラム及びこれらプログラムに係るデータ、ジョブデータ等を一時的に記憶するワークエリアを形成する。
【００４７】
図７に、ジョブデータの一例を示す。
図７に示すように、ジョブデータ１３１は、各原稿ページ共通のデータ（ページ共通データ１３１ａ）と、原稿ページ毎のデータ（ページ別データ１３１ｂ）とから構成されている。
【００４８】
ページ共通データ１３１ａは、操作表示部３０から入力される指示信号に基づいて設定された各種設定条件や画像形成動作及び後処理動作の動作状態を示すデータを含む。
【００４９】
例えば、ページ共通データ１３１ａとしては、設定部数Ｄ１、出力済み部数Ｄ２、コピーモードＤ３、原稿サイズＤ４、用紙サイズＤ５、給紙トレイＤ６、両面タブモードＤ７、プリントページ番号Ｄ８、読込済画像枚数Ｄ９、給紙カウンタＤ１０、ＳＩＤＥステータスＤ１１等である。
【００５０】
設定部数Ｄ１は、用紙Ｐの出力部数を示す。
出力済み部数Ｄ２は、出力済みの部数がカウントされた値を示す。
コピーモードＤ３は、画像データを形成する面、即ち片面から両面プリント、両面から片面プリント等を示す。
【００５１】
原稿サイズＤ４は、設定された原稿サイズが示される。用紙サイズＤ５は、設定された用紙サイズが示される。給紙トレイＤ６は、設定された用紙が格納されたトレイが示される。
【００５２】
両面タブモードＤ７は、用紙の両面（第１の面及び第２の面）に画像を形成したタブ紙を作成するモードか否かが示される。本実施の形態では、両面に画像を形成したタブ紙を作成するモードである場合には「１」、当該モードではない場合には「０」が設定されるものとする。
【００５３】
プリントページ番号Ｄ８は、画像形成処理される原稿ページに対応する個別画像データの識別番号を示す。読込済画像枚数Ｄ９は、読み取られた個別画像データの総数を示す。給紙カウンタＤ１０は、用紙が給紙トレイから給紙された用紙の枚数を示す。
【００５４】
ＳＩＤＥステータスＤ１１は、画像が形成される用紙の面を示し、第１の面（オモテ面）を「ｓｉｄｅ１」、第２の面（ウラ面）を「ｓｉｄｅ２」として示す。
【００５５】
ページ別データは、読み込まれた各原稿ページに対応する原稿画像データに、識別番号（例えば、ページ１、ページ２・・・）が付され、個別に記憶される。各原稿画像データは、当該原稿画像データが格納されている画像メモリ１７０上のアドレスを示す画像格納アドレスＤ１２等から構成される。
【００５６】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００５７】
圧縮ＩＣ１５０は、入力されたデジタル画像データに圧縮処理を施してＤＲＡＭ制御ＩＣ１６０に出力する。
【００５８】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。
【００５９】
例えば、画像読取部２０により読み取られた画像信号の保存が指示されると、読取処理部１４０から入力された画像データの圧縮処理が圧縮ＩＣ１５０により実行され、圧縮画像データが画像メモリ１７０の圧縮メモリ１７１に格納される。また、圧縮メモリ１７１に格納された圧縮画像データのプリント出力が指示されると、圧縮メモリ１７１から圧縮画像データが読み出され、伸長ＩＣ１８０により伸長処理が施しされページメモリ１７２に格納される。さらに、ページメモリ１７２に格納された画像データのプリント出力が指示されると、ページメモリ１７２から画像データが読み出され書込処理部１９０に出力される。
【００６０】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００６１】
伸長ＩＣ１８０は、圧縮画像データに伸長処理を施す。
【００６２】
書込処理部１９０は、ＤＲＡＭ制御ＩＣ１６０から入力された画像データに基づいて、画像形成のためのプリントデータを生成し、プリント部４０に出力する。
【００６３】
画像読取部２０は、ＣＣＤ２２ａ、画像読取制御部２００、その他ここでは図示しないが図１に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００６４】
操作表示部３０は、ＬＣＤ３１、タッチパネル３２、操作表示制御部３００、その他テンキー等の操作キー群から構成される。操作表示制御部３００は、制御部１１０から入力される表示信号に従って、各種設定条件を入力するための各種画面、図２〜４に示すような各種設定画面や各種処理結果等をＬＣＤ３１に表示させる。また、操作表示制御部３００は、各種スイッチやボタン、テンキー、操作キー群、タッチパネル３２から入力される操作信号を制御部１１０に出力する。
【００６５】
プリント部４０は、図１に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理部５０の各部を動作させる指示信号を後処理制御部５００に出力する。
【００６６】
後処理部５０は、ソートユニット、パンチユニット、ステイプルユニット、折りユニット、切断ユニット５１等の各種後処理ユニット、各種後処理ユニットへ用紙を搬送する搬送ローラ等の搬送手段、各種後処理ユニットから搬送された用紙が排紙される排紙トレイＴ３等が設けられており、各種後処理ユニットは後処理制御部５００により統括的に制御されている。後処理制御部５００は、制御部１１０からプリント制御部４００を介して入力される後処理の指示信号に応じて、用紙Ｐを搬送経路に沿って所定の後処理ユニットに搬送し、各部を駆動制御して用紙Ｐに所定の後処理を行わせ、排紙トレイＴ３に排紙させる制御を行う。
【００６７】
次に、プリンタコントローラ１ｂの各部について説明する。プリンタコントローラ１ｂは、画像形成装置１をネットワークプリンタとして使用する場合に、ネットワーク３に接続される外部装置２から画像形成装置１に入力されるジョブの管理及び制御を行うものであり、外部装置２からプリント対象のデータを受信し、当該データをジョブとして本体部１ａへ送信する。
【００６８】
プリンタコントローラ１ｂは、コントローラ制御部１１、ＤＲＡＭ制御ＩＣ１２、画像メモリ１３、ＬＡＮＩＦ１４から構成される。
【００６９】
コントローラ制御部１１は、プリンタコントローラ１ｂ各部の動作を統括的に制御し、ＬＡＮＩＦ１４を介して、外部装置２から入力されるデータをジョブとして本体部１ａへ送信する。
【００７０】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００７１】
画像メモリ１３は、ＤＲＡＭから構成され、入力された出力データを一時的に格納する。
【００７２】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００７３】
次に、本実施の形態の動作を説明する。
図８〜１２に、本実施の形態における両面タブ紙作成処理のフローチャートを示す。図８〜１２に示すフローチャートは、制御部１１０によって実行される処理である。
【００７４】
図８に示すフローチャートは、コピー開始時に実行される処理である。
まず制御部１１０は、操作表示部３０において各種設定条件入力され、原稿トレイＴ１に原稿が載置された場合、入力された各種設定条件（例えば、設定部数、コピーモード、原稿サイズ、用紙サイズ、給紙トレイ等）をジョブデータとして生成し、ＲＡＭ１３０に記憶する（ステップＳ１）。
【００７５】
また、制御部１１０は、ステップＳ１において生成したジョブデータの読込済画像枚数Ｄ９を１に設定し（ステップＳ２）、給紙カウンタＤ１０を０に設定する（ステップＳ３）。
【００７６】
制御部１１０は、ステップＳ１において生成したジョブデータを参照し、原稿サイズが８．５インチ×１１インチのタブ紙であるか否かを判別する（ステップＳ４）。制御部１１０が、８．５インチ×１１インチのタブ紙である場合（ステップＳ４；Ｙｅｓ）、用紙サイズが９インチ×１１インチであるか否かを判別する（ステップＳ５）。
【００７７】
制御部１１０は、用紙サイズが９インチ×１１インチである場合（ステップＳ５；Ｙｅｓ）、コピーモードが片面から両面へのプリントのモードであるか否かを判別する（ステップＳ６）。
【００７８】
制御部１１０は、コピーモードが片面から両面プリントのモードである場合（ステップＳ６；Ｙｅｓ）、両面タブモードＤ７を１に設定し（ステップＳ７）、本処理を終了する。
【００７９】
制御部１１０は、原稿サイズが８．５インチ×１１インチのタブ紙でない場合（ステップＳ４；Ｎｏ）、用紙サイズが９インチ×１１インチの用紙でない場合（ステップＳ５；Ｎｏ）、コピーモードが片面から両面プリントのモードでない場合（ステップＳ６；Ｎｏ）のいずれかの場合、両面タブモードを０に設定し（ステップＳ８）、本処理を終了する。
【００８０】
即ち、本実施の形態では、両面タブモードＤ７が１に設定される条件として、原稿サイズが８．５インチ×１１インチのタブ紙、用紙サイズが９インチ×１１インチの用紙であり、コピーモードが片面から両面プリントの両面モードである場合とする。
なお、原稿サイズと用紙サイズとの関係が、原稿の副走査方向の長さが給紙される用紙の副走査方向の長さよりも切断部で形成されるタブ部の高さだけ小さい（例えば、０．５インチ）関係であればよく、当該サイズに限定しない。
【００８１】
図９に示すフローチャートは、原稿ｄからの画像の読み取り完了時に実行される処理である。
制御部１１０は、画像読取部２０により読み取られた各原稿画像データをジョブデータとしてＲＡＭ１３０に記憶すると共に、ジョブデータを参照して、両面タブモードＤ７が１に設定されているか否かを判別し（ステップＳ１１）、両面タブモードＤ７が１に設定されていない場合（ステップＳ１１；Ｎｏ）、その他の処理を実行し（ステップＳ１２）、本処理を終了する。
【００８２】
制御部１１０は、両面タブモードＤ７が１に設定されている場合（ステップＳ１１；Ｙｅｓ）、プリントページ番号Ｄ８を１、ＳＩＤＥステータスＤ１１をｓｉｄｅ１に設定する（ステップＳ１３）。
【００８３】
制御部１１０は、後述する第１給紙準備設定処理（図１０参照）を実行し（ステップＳ１４）、第１給紙準備設定処理後、後述するプリントページ設定処理（図１１参照）を実行し（ステップＳ１５）、ジョブデータのコピーモードＤ３等をプリント制御部４００及び後処理制御部５００に送信して本処理を終了する。
【００８４】
図１０に、図９のステップＳ１４で実行される第１給紙準備設定処理のフローチャートを示す。第１給紙準備設定処理とは、給紙部４１による給紙実行の要否を設定する処理である。
【００８５】
制御部１１０は、ジョブデータを参照して、給紙カウンタＤ１０と読込済画像枚数Ｄ９とがそれぞれ示す値が等しいか否かを判別し（ステップＳ２１）、給紙カウンタＤ１０と読込済画像枚数Ｄ９とがそれぞれ示す値が等しい（一致する）場合（ステップＳ２１；Ｙｅｓ）、本処理を終了する。
【００８６】
制御部１１０は、給紙カウンタＤ１０と読込済画像枚数Ｄ９とがそれぞれ示す値が等しくない（一致しない）場合（ステップＳ２１；Ｎｏ）、ジョブデータに設定されている給紙トレイの設定を第１給紙準備信号として設定し（ステップＳ２２）、給紙カウンタＤ１０に１を加算する（ステップＳ２３）。
【００８７】
制御部１１０は、給紙カウンタＤ１０と読込済画像枚数Ｄ９とがそれぞれ示す値が等しいか否かを判別し（ステップＳ２４）、給紙カウンタＤ１０と読込済画像枚数Ｄ９とがそれぞれ示す値が等しくない（一致しない）場合（ステップＳ２４；Ｎｏ）、本処理を終了する。
【００８８】
制御部１１０は、給紙カウンタＤ１０と読込済画像枚数Ｄ９とがそれぞれ示す値が等しい（一致する）場合（ステップＳ２４；Ｙｅｓ）、最終の原稿画像ページを形成する用紙が給紙済みである旨を示す最終紙情報を設定し（ステップＳ２５）、本処理を終了する。
【００８９】
図１１に、図９のステップＳ１５で実行されるプリントページ設定処理のフローチャートを示す。プリントページ設定処理とは、各原稿ページに対応する原稿画像データに基づいて、設定されたジョブデータに応じたプリントページデータを生成し設定する処理である。
【００９０】
制御部１１０は、ジョブデータを参照して、プリントページ番号Ｄ８が示す原稿ページの識別番号に対応する画像格納アドレスＤ１２に格納されている原稿画像データを読み出して伸長ＩＣ１８０により伸長処理を開始させてページメモリに展開開始する（ステップＳ３１）。
【００９１】
制御部１１０は、読み出した原稿画像データの伸長処理が完了したか否かを判別し（ステップＳ３２）、伸長処理が完了していない場合（ステップＳ３２；Ｎｏ）、ステップＳ３２に戻る。
【００９２】
制御部１１０は、読み出した原稿画像データの伸長処理が完了した場合（ステップＳ３２；Ｙｅｓ）、ＳＩＤＥステータスＤ１１がｓｉｄｅ１に設定されているか否かを判別する（ステップＳ３３）。
【００９３】
制御部１１０は、ＳＩＤＥステータスＤ１１がｓｉｄｅ１に設定されている場合（ステップＳ３３；Ｙｅｓ）、書込開始位置をページメモリに展開された原稿画像データの先頭アドレスに設定し（ステップＳ３４）、ＳＩＤＥステータスＤ１１をｓｉｄｅ２に設定する（ステップＳ３５）。
【００９４】
制御部１１０は、ＳＩＤＥステータスＤ１１がｓｉｄｅ１に設定されていない場合、即ち、ＳＩＤＥステータスＤ１１がｓｉｄｅ２に設定されている場合（ステップＳ３３；Ｎｏ）、ページメモリに展開された原稿画像データを副走査方向においてタブ部の大きさに応じて本文画像データとタブ画像データとに分け、書込開始位置を当該タブ画像データの開始位置に設定する（ステップＳ３６）。
【００９５】
例えば、用紙の副走査方向の長さが９インチであって、タブ部の高さが０．５インチである場合、ステップＳ３６において設定する書込開始位置としては、２１６ｍｍ（８．５インチ）の位置を設定する。
【００９６】
制御部１１０は、ステップＳ３６後、ＳＩＤＥステータスＤ１１をｓｉｄｅ１に設定し（ステップＳ３７）、プリントページ番号Ｄ８と読込済画像枚数Ｄ９とがそれぞれ示す値が等しいか否かを判別し（ステップＳ３８）、プリントページ番号Ｄ８と読込済画像枚数Ｄ９とがそれぞれ示す値が等しい（一致する）場合（ステップＳ３８；Ｙｅｓ）、本処理を終了する。
【００９７】
制御部１１０は、プリントページ番号Ｄ８と読込済画像枚数Ｄ９とがそれぞれ示す値が等しくない（一致しない）場合（ステップＳ３８；Ｎｏ）、プリントページ番号Ｄ８に１を加算する（ステップＳ３９）。
【００９８】
制御部１１０は、ステップＳ３５又はステップＳ３９後、プリントページデータと書込開始位置を第２給紙準備信号として設定し（ステップＳ４０）、本処理を終了する。
ステップＳ４０において第２給紙準備信号として設定するプリントページデータは、ステップＳ３１においてページメモリに展開した原稿画像データであり、書込開始位置は、ステップＳ３５又はステップＳ３７において設定した書込開始位置である。
【００９９】
図１２に、画像形成処理開始後、画像書込信号ＰＶＶがＯＮ状態からＯＦＦ状態に切り替わった際に実行される処理のフローチャートを示す。
【０１００】
制御部１１０は、まず、画像書込信号ＰＶＶがＯＮ状態からＯＦＦ状態に切り替わったか否かを判別し（ステップＳ５１）、画像書込信号ＰＶＶがＯＮ状態からＯＦＦ状態に切り替わっていない場合（ステップＳ５１；Ｎｏ）、切り替わるまで待機する（ステップＳ５１に戻る）。
【０１０１】
制御部１１０は、画像書込信号ＰＶＶがＯＮ状態からＯＦＦ状態に切り替わった場合（ステップＳ５１；Ｙｅｓ）、ジョブデータを参照して、両面タブモードＤ７が１に設定されているか否かを判別し（ステップＳ５２）、両面タブモードＤ７が１に設定されていない場合（ステップＳ５２；Ｎｏ）、その他の処理を実行し（ステップＳ５３）、本処理を終了する。
【０１０２】
制御部１１０は、両面タブモードＤ７が１に設定されている場合（ステップＳ５２；Ｙｅｓ）、ＳＩＤＥステータスＤ１１がｓｉｄｅ２に設定されているか否かを判別する（ステップＳ５４）。
【０１０３】
制御部１１０、ＳＩＤＥステータスＤ１１がｓｉｄｅ２に設定されている場合（ステップＳ５４；Ｙｅｓ）、前述したプリントページ設定処理（図１１参照）を実行し（ステップＳ５５）、本処理を終了する。
【０１０４】
制御部１１０は、ＳＩＤＥステータスＤ１１がｓｉｄｅ２に設定されていない場合、即ち、ＳＩＤＥステータスＤ１１がｓｉｄｅ１に設定されている場合（ステップＳ５４；Ｎｏ）、前述した第１給紙準備設定処理（図１０参照）を実行し（ステップＳ５６）、第１給紙準備設定処理後、前述したプリントページ設定処理（図１１参照）を実行し（ステップＳ５７）、本処理を終了する。
【０１０５】
図１３、本実施の形態において実行された両面タブ紙作成処理のイメージ図を示し、図１４に、図１３の両面タブ紙作成処理を実現する画像形成装置１の動作のタイムチャート例を示す。
【０１０６】
図１３及び図１４は、図２〜４に示す各種設定画面において、８．５インチ×１１インチ四方の縦タブ紙の縦長のタブ紙を原稿として設定し、給紙する用紙トレイとして９インチ×１１インチ四方の縦長の用紙が格納された給紙トレイ、コピーモードとして片面から両面へのプリントのモード、を設定した場合であって、３枚の原稿を読み取ってタブ紙を生成する処理の例である。
【０１０７】
図１３に示す原稿ｄ１〜ｄ３は、画像読取部２０の原稿トレイＴ１に載置する原稿のイメージである。原稿画像データＤｄ１〜ＤＩｄ３は、画像読取部２０において読み取られた各原稿ｄ１〜ｄ３に対応する原稿画像データのイメージである。プリントページデータＰｄ１１、Ｐｄ２１、Ｐｄ３１は、ｓｉｄｅ１、即ち第１の面（オモテ面）に形成されるプリントページデータのイメージ図である。プリントページデータＰｄ１２、Ｐｄ２２、Ｐｄ３２は、ｓｉｄｅ２、即ち第２の面（ウラ面）に形成されるプリントページデータのイメージ図である。更に、各原稿画像データＤｄ１〜Ｄｄ３は、本文画像データＤｄ１ａ、Ｄｄ２ａ、Ｄｄ３ａとタブ画像データＤｄ１ｂ、Ｄｄ２ｂ、Ｄｄ３ｂとを含む。
【０１０８】
次に、図１４に示す画像形成装置１の動作のタイムチャート例について図１３の場合を例として説明する。
【０１０９】
第１給紙準備信号は、設定されたプリントページデータの情報、例えば、給紙する用紙が格納されているトレイ等を含むデータである。該データは、制御部１１０からプリント制御部４００及びプリント制御部４００を介して後処理制御部５００に出力される。
【０１１０】
第１給紙信号は、用紙Ｐを給紙トレイ４１ａからレジストローラ４２ａまで搬送させる動作信号であり、当該第１給紙信号がＯＮ状態であるとき搬送動作中を示し、第１給紙準備信号に応じてプリント制御部４００から制御部１１０に出力される。第１給紙信号は、第１給紙準備信号がＯＮされた後、所定時間Ａ１経過後にＯＮされる。当該所定時間は、給紙トレイによって異なっている。
【０１１１】
第２給紙準備信号は、プリントページデータの書込み動作の可否を示す信号であり、ＯＮ状態であるとき次に書き込まれる画像の書込み準備完了状態を示し、ＯＦＦ状態であるとき書込み準備中の状態を示し、制御部１１０からプリント制御部４００に出力される。
【０１１２】
第２給紙信号は、用紙をレジストローラ４２ａから転写装置４３ａまで搬送させる動作信号であり、当該第２給紙信号がＯＮ状態であるとき搬送動作中を示し、第２給紙準備信号に応じてプリント制御部４００から制御部１１０に出力される。
【０１１３】
センサ信号は、レジストローラ４２ａから転写装置４３ａへ用紙が搬送される搬送経路上に設けられたセンサにより用紙の先端が検知されるとＯＮされ終端が検知されるとＯＦＦされる。
【０１１４】
画像書込信号ＰＶＶは、センサ信号がＯＮされるとＯＮとなり書き込みが開始され、１ページ分の設定されたプリントページデータの書き込みが終了するとＯＦＦとなる。画像書込信号ＰＶＶがＯＦＦすると、第２給紙準備信号がＯＮされる。（ただし、１ページの書き込み時を除く。）
【０１１５】
まず、時刻ｔ０のとき、操作表示部３０からコピー開始信号が入力されると、図８に示す処理が実行される。コピー開始信号が入力される前に、操作表示部３０によって設定された各種設定条件がジョブデータとしてＲＡＭ１３０に記憶され、ジョブデータの読込済画像枚数Ｄ９が１、給紙カウンタＤ１０が０に設定される。更に、原稿サイズが８．５インチ×１１インチのタブ紙、用紙サイズが９インチ×１１インチ、コピーモードが片面から両面へのプリントの両面モードであることから、両面タブモードＤ７が１に設定される。本処理完了後、時刻ｔ０〜ｔ１とき、原稿トレイＴ１に載置された原稿ｄ１〜ｄ３の読み取りが実行される。
【０１１６】
時刻ｔ１のとき、原稿ｄ１〜ｄ３の読み取りが完了すると、図９〜１１に示した処理が実行される。
画像読取部２０により読み取られた各原稿画像データがジョブデータとしてＲＡＭ１３０に記憶される。そして、ジョブデータが参照され、両面タブモードＤ７が１に設定されているため、プリントページ番号Ｄ８が１、ＳＩＤＥステータスＤ１１がｓｉｄｅ１に設定される。
給紙カウンタＤ１０は０であり、読込済画像枚数（Ｄ９＝３）が示す値と一致しないため、ジョブデータに設定されている給紙トレイの設定に基づいて第１給紙準備信号が設定されてＯＮされ、給紙カウンタＤ１０に１が加算される。また、給紙カウンタ（Ｄ１０＝１）が読込済画像枚数（Ｄ９＝３）と一致しないため、最終紙情報は設定されない。
また、プリントページ番号（Ｄ８＝１）に対応する原稿画像データがページメモリ１７２に展開される。ＳＩＤＥステータスＤ１１がｓｉｄｅ１に設定されていることから、書込開始位置がページメモリに展開された原稿画像データの先頭アドレスに設定され、ＳＩＤＥステータスＤ１１がｓｉｄｅ２に設定され、プリントページデータＰｄ１１と書込開始位置とが第２給紙準備信号として設定され第２給紙準備信号がＯＮされる。
【０１１７】
時刻ｔ２のとき、第１給紙準備信号がＯＮされた時刻ｔ１から所定時間Ａ１が経過し、第１給紙信号がＯＮになり、用紙が給紙トレイ４１ａからレジストローラ４２ａに搬送される。
【０１１８】
時刻ｔ３のとき、第１給紙信号がＯＮされた時刻ｔ２から所定時間Ａ２が経過し、第２給紙信号がＯＦＦされ、第１給紙信号がＯＦＦされると第１給紙準備信号がＯＦＦされる。
【０１１９】
時刻ｔ４のとき、第２給紙準備信号がＯＮされた時刻ｔ１から所定時間Ａ３が経過し、第２給紙信号がＯＮされる。第２給紙信号がＯＮになると、レジストローラ４２ａから転写装置４３ａへ用紙が搬送される。その後、センサにより用紙の先端が検知されると、画像書込信号ＰＶＶがＯＮとなり、書き込みが開始されて、設定されたプリントページデータＰｄ１１により１枚目の用紙のオモテ面（ｓｉｄｅ１）が画像形成される。また、画像書込信号ＰＶＶがＯＮされると第２給紙準備信号はＯＦＦされる。
【０１２０】
時刻ｔ５のとき、画像書き込みが終了し、画像書込信号ＰＶＶがＯＮ状態からＯＦＦ状態に切り替わると、図１０〜１２に示した処理が実行される。
ジョブデータが参照され、画像書込信号ＰＶＶがＯＦＦであり、両面タブモードＤ７＝１、ＳＩＤＥステータスＤ１１＝ｓｉｄｅ２であることから、プリントページ番号（Ｄ８＝１）に対応する原稿画像データがページメモリ１７２に展開される。ＳＩＤＥステータスＤ１１がｓｉｄｅ２に設定されていることから、ページメモリに展開された原稿画像データＤｄ１が副走査方向においてタブ部の大きさに応じて本文画像データＤｄ１ａとタブ画像データＤｄ１ｂとに分けられ、書込開始位置が当該タブ画像データＤｄ１ｂの開始位置に設定され、ＳＩＤＥステータスＤ１１がｓｉｄｅ１に設定され、プリントページ番号（Ｄ８＝１）と読込済画像枚数（Ｄ９＝３）とが一致しないため、プリントページ番号Ｄ８に１が加算され（Ｄ８＝２）、プリントページデータＰｄ１２と書込開始位置とが第２給紙準備信号として設定され第２給紙準備信号がＯＮされる。
【０１２１】
時刻ｔ６のとき、第２給紙準備信号がＯＮされた時刻ｔ５から所定時間Ａ３が経過し、第２給紙信号がＯＮされる。第２給紙信号がＯＮになると、オモテ面に画像が形成された用紙であって両面搬送路４２ｃによりレジストローラ４２ａまで搬送されていた用紙がレジストローラ４２ａから転写装置４３ａへ用紙が搬送される。その後、センサにより用紙の先端が検知されると、画像書込信号ＰＶＶがＯＮとなり、書き込みが開始されて、設定されたプリントページデータＰｄ１２により１枚目の用紙のウラ面（ｓｉｄｅ２）が画像形成される。また、画像書込信号ＰＶＶがＯＮされると第２給紙準備信号はＯＦＦされる。
【０１２２】
時刻ｔ７のとき、画像書き込みが終了し、画像書込信号ＰＶＶがＯＮ状態からＯＦＦ状態に切り替わると、図１０〜１２に示した処理が実行される。
ジョブデータが参照され、画像書込信号ＰＶＶがＯＦＦであり、両面タブモードＤ７＝１、ＳＩＤＥステータスＤ１１＝ｓｉｄｅ１であることから、給紙カウンタＤ１０は１であり、読込済画像枚数（Ｄ９＝３）が示す値と一致しないため、ジョブデータに設定されている給紙トレイの設定に基づいて第１給紙準備信号が設定されてＯＮされ、給紙カウンタＤ１０に１が加算される。また、給紙カウンタ（Ｄ１０＝２）が読込済画像枚数（Ｄ９＝３）と一致しないため、最終紙情報は設定されない。
また、プリントページ番号Ｄ８に対応する原稿画像データがページメモリ１７２に展開される。ＳＩＤＥステータスＤ１１がｓｉｄｅ１に設定されているため、書込開始位置がページメモリに展開された原稿画像データの先頭アドレスに設定され、ＳＩＤＥステータスＤ１１がｓｉｄｅ２に設定され、プリントページデータＰｄ２１と書込開始位置とが第２給紙準備信号として設定され第２給紙準備信号がＯＮされる。
【０１２３】
時刻ｔ８のとき、第１給紙準備信号がＯＮされた時刻ｔ７から所定時間Ａ１が経過し、第１給紙信号がＯＮになり、用紙が給紙トレイ４１ａからレジストローラ４２ａに搬送される。
【０１２４】
時刻ｔ９のとき、第１給紙信号がＯＮされた時刻ｔ８から所定時間Ａ２が経過し、第２給紙信号がＯＦＦされ、第１給紙信号がＯＦＦされると第１給紙準備信号がＯＦＦされる。
【０１２５】
時刻ｔ１０のとき、第２給紙準備信号がＯＮされた時刻ｔ７から所定時間Ａ３が経過し、第２給紙信号がＯＮされる。第２給紙信号がＯＮになると、レジストローラ４２ａから転写装置４３ａへ用紙が搬送される。その後、センサにより用紙の先端が検知されると、画像書込信号ＰＶＶがＯＮとなり、書き込みが開始されて、設定されたプリントページデータＰｄ２１により２枚目の用紙のオモテ面（ｓｉｄｅ１）が画像形成される。また、画像書込信号ＰＶＶがＯＮされると第２給紙準備信号はＯＦＦされる。
【０１２６】
時刻ｔ１１のとき、画像書き込みが終了し、画像書込信号ＰＶＶがＯＮ状態からＯＦＦ状態に切り替わると、図１０〜１２に示した処理が実行される。
ジョブデータが参照され、画像書込信号ＰＶＶがＯＦＦであり、両面タブモードＤ７＝１、ＳＩＤＥステータスＤ１１＝ｓｉｄｅ２であることから、プリントページ番号（Ｄ８＝２）に対応する原稿画像データがページメモリ１７２に展開される。ＳＩＤＥステータスＤ１１がｓｉｄｅ２に設定されていることから、ページメモリに展開された原稿画像データＤｄ２が副走査方向においてタブ部の大きさに応じて本文画像データＤｄ２ａとタブ画像データＤｄ２ｂとに分けられ、書込開始位置が当該タブ画像データＤｄ２ｂの開始位置に設定され、ＳＩＤＥステータスＤ１１がｓｉｄｅ１に設定され、プリントページ番号（Ｄ８＝２）と読込済画像枚数（Ｄ９＝３）とが一致しないため、プリントページ番号Ｄ８に１が加算され（Ｄ８＝３）、プリントページデータＰｄ２２と書込開始位置とが第２給紙準備信号として設定され第２給紙準備信号がＯＮされる。
【０１２７】
時刻ｔ１２のとき、第２給紙準備信号がＯＮされた時刻ｔ１１から所定時間Ａ３が経過し、第２給紙信号がＯＮされる。第２給紙信号がＯＮになると、オモテ面に画像が形成された用紙であって両面搬送路４２ｃによりレジストローラ４２ａまで搬送されていた用紙がレジストローラ４２ａから転写装置４３ａへ用紙が搬送される。その後、センサにより用紙の先端が検知されると、画像書込信号ＰＶＶがＯＮとなり、書き込みが開始されて、設定されたプリントページデータＰｄ２２により２枚目の用紙のウラ面（ｓｉｄｅ２）が画像形成される。また、画像書込信号ＰＶＶがＯＮされると第２給紙準備信号はＯＦＦされる。
【０１２８】
時刻ｔ１３のとき、画像書き込みが終了し、画像書込信号ＰＶＶがＯＮ状態からＯＦＦ状態に切り替わると、図１０〜１２に示した処理が実行される。
ジョブデータが参照され、画像書込信号ＰＶＶがＯＦＦであり、両面タブモードＤ７＝１、ＳＩＤＥステータスＤ１１＝ｓｉｄｅ１であることから、給紙カウンタＤ１０は２であり、読込済画像枚数（Ｄ９＝３）が示す値と一致しないため、ジョブデータに設定されている給紙トレイの設定に基づいて第１給紙準備信号が設定されてＯＮされ、給紙カウンタＤ１０に１が加算される。また、給紙カウンタ（Ｄ１０＝３）が読込済画像枚数（Ｄ９＝３）と一致するため、最終紙情報が設定される。
また、プリントページ番号Ｄ８に対応する原稿画像データがページメモリ１７２に展開される。ＳＩＤＥステータスＤ１１がｓｉｄｅ１に設定されているため、書込開始位置がページメモリに展開された原稿画像データの先頭アドレスに設定され、ＳＩＤＥステータスＤ１１がｓｉｄｅ２に設定され、プリントページデータＰｄ３１と書込開始位置とが第２給紙準備信号として設定され第２給紙準備信号がＯＮされる。
【０１２９】
時刻ｔ１４のとき、第１給紙準備信号がＯＮされた時刻ｔ１３から所定時間Ａ１が経過し、第１給紙信号がＯＮになり、用紙が給紙トレイ４１ａからレジストローラ４２ａに搬送される。
【０１３０】
時刻ｔ１５のとき、第１給紙信号がＯＮされた時刻ｔ１４から所定時間Ａ２が経過し、第２給紙信号がＯＦＦされ、第１給紙信号がＯＦＦされると第１給紙準備信号がＯＦＦされる。
【０１３１】
時刻ｔ１６のとき、第２給紙準備信号がＯＮされた時刻ｔ１３から所定時間Ａ３が経過し、第２給紙信号がＯＮされる。第２給紙信号がＯＮになると、レジストローラ４２ａから転写装置４３ａへ用紙が搬送される。その後、センサにより用紙の先端が検知されると、画像書込信号ＰＶＶがＯＮとなり、書き込みが開始されて、設定されたプリントページデータＰｄ３１により３枚目の用紙のオモテ面（ｓｉｄｅ１）が画像形成される。また、画像書込信号ＰＶＶがＯＮされると第２給紙準備信号はＯＦＦされる。
【０１３２】
時刻ｔ１７のとき、画像書き込みが終了し、画像書込信号ＰＶＶがＯＮ状態からＯＦＦ状態に切り替わると、図１０〜１２に示した処理が実行される。
ジョブデータが参照され、画像書込信号ＰＶＶがＯＦＦであり、両面タブモードＤ７＝１、ＳＩＤＥステータスＤ１１＝ｓｉｄｅ２であることから、プリントページ番号（Ｄ８＝３）に対応する原稿画像データがページメモリ１７２に展開される。ＳＩＤＥステータスＤ１１がｓｉｄｅ２に設定されていることから、ページメモリに展開された原稿画像データＤｄ３が副走査方向においてタブ部の大きさに応じて本文画像データＤｄ３ａとタブ画像データＤｄ３ｂとに分けられ、書込開始位置が当該タブ画像データＤｄ３ｂの開始位置に設定され、ＳＩＤＥステータスＤ１１がｓｉｄｅ１に設定され、プリントページ番号（Ｄ８＝３）と読込済画像枚数（Ｄ９＝３）とが一致するため、プリントページデータＰｄ３２と書込開始位置とが第２給紙準備信号として設定され第２給紙準備信号がＯＮされる。
【０１３３】
時刻ｔ１８のとき、第２給紙準備信号がＯＮされた時刻ｔ１７から所定時間Ａ３が経過し、第２給紙信号がＯＮされる。第２給紙信号がＯＮになると、オモテ面に画像が形成された用紙であって両面搬送路４２ｃによりレジストローラ４２ａまで搬送されていた用紙がレジストローラ４２ａから転写装置４３ａへ用紙が搬送される。その後、センサにより用紙の先端が検知されると、画像書込信号ＰＶＶがＯＮとなり、書き込みが開始されて、設定されたプリントページデータＰｄ３２により２枚目の用紙のウラ面（ｓｉｄｅ２）が画像形成される。また、画像書込信号ＰＶＶがＯＮされると第２給紙準備信号はＯＦＦされる。
【０１３４】
各両面に画像が形成された各用紙は、搬出部４４により後処理部５０に排出される。後処理部５０に排出された各用紙は、切断ユニットにより、ページ番号に応じた位置にタブ部の大きさに基づいて一部が切断され、タブ部が形成され、排紙トレイＴ３に排紙される。
【０１３５】
以上のように、本実施の形態によれば、原稿画像データを本文画像データとタブ画像データとに分け、第１の面（オモテ面）に原稿画像データに基づいて本文画像及びタブ画像を形成した後、反転搬送部により反転搬送した当該用紙の第２の面（ウラ面）における第１の面に形成されたタブ画像の位置の面対象位置に、タブ画像データに基づくタブ画像を形成することができるため、ユーザの手を煩わせずに、用紙の両面にタブ画像が画像形成されたタブ紙を生成することができる。
【０１３６】
特に、タブ画像データに基づく画像が形成されるタブ部の大きさに応じて、原稿画像データを本文画像データとタブ画像データとに分け、第２の面（ウラ面）にタブ画像データに基づく画像を形成する際、当該タブ画像データの画像形成開始位置を第１の面に画像形成した本文画像データの画像形成開始位置とすることで、第１の面上に形成されるタブ画像と第２の面上に形成されるタブ画像とを面対象位置に形成することができ、更に、第２の面にタブ画像のみを形成することができる。
【０１３７】
また、第２の面にタブ画像データに基づく画像が形成された用紙を切断してタブ部を形成する切断部を備えることにより、原稿と同一形状のタブ紙を作成することができる。
【０１３８】
以上の説明では、本発明に係るプログラムのコンピュータ読み取り可能な媒体として不揮発メモリ１２０を使用した例を開示したが、この例に限定されない。
その他のコンピュータ読み取り可能な媒体として、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【０１３９】
また、本発明は、上記実施の形態の内容に限定されるものではなく、本発明の主旨を逸脱しない範囲で適宜変更可能である。
【図面の簡単な説明】
【０１４０】
【図１】画像形成装置の概略断面構成図である。
【図２】コピー設定画面の例を示すイメージ図である。
【図３】原稿設定画面の例を示すイメージ図である。
【図４】タブ紙サイズ設定画面の例を示すイメージ図である。
【図５】画像形成装置の制御ブロック図である。
【図６】図６（ａ）は、原稿の例を示すイメージ図であり、図６（ｂ）は、原稿から取得された原稿画像データの例を示すイメージ図である。
【図７】ジョブデータの一例を示す図である。
【図８】コピー開始時に実行される処理を示すフローチャートである。
【図９】原稿からの画像の読み取り完了時に実行される処理を示すフローチャートである。
【図１０】第１給紙準備設定処理を示すフローチャートである。
【図１１】プリントページ設定処理のフローチャートである。
【図１２】画像書込信号ＰＶＶがＯＮ状態からＯＦＦ状態に切り替わった際に実行される処理のフローチャートである。
【図１３】本実施の形態において実行された両面タブ紙作成処理のイメージ図である。
【図１４】図１３の両面タブ紙作成処理を実現する画像形成装置１の動作のタイムチャート例である。
【符号の説明】
【０１４１】
１  画像形成装置
１ａ  本体部
１ｂ  プリンタコントローラ
２  外部装置
３  ネットワーク
１１  コントローラ制御部
１２  ＤＲＡＭ制御ＩＣ
１３  画像メモリ
１４  ＬＡＮＩＦ
２０  画像読取部
２１  自動原稿送り部
２２  読取部
２２ａ  ＣＣＤ
３０  操作表示部
３１  ＬＣＤ
３２  タッチパネル
４０  プリント部
４１  給紙部
４１ａ  給紙トレイ
４１ｂ  給紙手段
４２  用紙搬送部
４２ａ  レジストローラ
４２ｂ  搬送路切換板
４２ｃ  両面搬送路
４３  画像形成部
４３ａ  転写装置
４３ｂ  定着装置
４４  搬出部
５０  後処理部
５１  切断ユニット
１００  画像制御基板
１１０  制御部
１２０  不揮発メモリ
１３０  ＲＡＭ
１３１  ジョブデータ
１３１ａ  ページ共通データ
１３１ｂ  ページ別データ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  操作表示制御部
４００  プリント制御部
５００  後処理制御部
Ｂ１  原稿設定ボタン
Ｂ１１  定形サイズボタン
Ｂ１２  不定形サイズボタン
Ｂ１３  タブ紙サイズボタン
Ｂ１４ａ〜Ｂ１４ｈ  ボタン
ｄ  原稿
Ｄｄ  原稿画像データ
Ｄｄａ  本文画像データ
Ｄｄｂ  タブ画像データ
Ｄ１  設定部数
Ｄ２  出力済み部数
Ｄ３  コピーモード
Ｄ４  原稿サイズ
Ｄ５  用紙サイズ
Ｄ６  給紙トレイ
Ｄ７  両面タブモード
Ｄ８  プリントページ番号
Ｄ９  読込済画像枚数
Ｄ１０  給紙カウンタ
Ｄ１１  ＳＩＤＥステータス
Ｄ１２  画像格納アドレス
Ｅ１  原稿設定領域
Ｅ２  画質設定領域
Ｅ３  倍率設定領域
Ｅ４  応用設定領域
Ｅ５  出力設定領域
Ｅ６  片面／両面設定領域
Ｅ７  用紙設定領域
Ｅ１１  原稿設置方向設定領域
Ｅ１２  とじ方向設定領域
Ｅ１３  特殊原稿設定領域
Ｅ１４  原稿サイズ設定領域
Ｇ１  コピー設定画面
Ｇ２  原稿設定画面
Ｇ３  タブ紙サイズ設定画面
ｈ  高さ
Ｐ  用紙
Ｔ１  原稿トレイ
Ｔ２  手差しトレイ
Ｔ３  排紙トレイ
【図１】
2009278395.tif 000003
【図２】
2009278395.tif 000004
【図３】
2009278395.tif 000005
【図４】
2009278395.tif 000006
【図５】
2009278395.tif 000007
【図６】
2009278395.tif 000008
【図７】
2009278395.tif 000009
【図８】
2009278395.tif 000010
【図９】
2009278395.tif 000011
【図１０】
2009278395.tif 000012
【図１１】
2009278395.tif 000013
【図１２】
2009278395.tif 000014
【図１３】
2009278395.tif 000015
【図１４】
2009278395.tif 000016